(57)【要約】【課題】気圧調整シートへの洗剤成分の付着による防水性能劣化をなるべく遅らせることができる電子機器を提供する。【解決手段】電子機器は、貫通孔５を有する筐体１と、水を遮断することができ、空気を通過させることができ、貫通孔５を覆うように配置されたシート４と、貫通孔５を覆い隠しつつ筐体１の外表面１ａを部分的に覆い、筐体１に対して取り付けられたカバー２とを備える。筐体１は、カバー２を筐体１に取り付けた状態においてもカバー２に覆われない第１部分３を含む。カバー２および筐体１は、第１部分３と貫通孔５との間の少なくとも一部を遮るように、少なくとも１つの凹部と、前記凹部との間で嵌合可能な少なくとも１つの凸部とを、それぞれいずれかに含む。【選択図】図４
2017175043.tif 000002
【特許請求の範囲】
【請求項１】
貫通孔を有する筐体と、
水を遮断することができ、空気を通過させることができ、前記貫通孔を覆うように配置されたシートと、
前記貫通孔を覆い隠しつつ前記筐体の外表面を部分的に覆い、前記筐体に対して取り付けられたカバーとを備え、
前記筐体は、前記カバーを前記筐体に取り付けた状態においても前記カバーに覆われない第１部分を含み、
前記カバーおよび前記筐体は、前記第１部分と前記貫通孔との間の少なくとも一部を遮るように、少なくとも１つの凹部と、前記凹部との間で嵌合可能な少なくとも１つの凸部とを、それぞれいずれかに含む、電子機器。
【請求項２】
前記少なくとも１つの凹部は線状であり、前記少なくとも１つの凸部は線状である、請求項１に記載の電子機器。
【請求項３】
前記凹部と前記凸部とが嵌合部分を形成し、前記嵌合部分は、前記第１部分と前記貫通孔との間を隔てている、請求項１または２に記載の電子機器。
【請求項４】
前記嵌合部分は、前記貫通孔を取り囲む環形状の少なくとも一部として設けられている第２部分を含む、請求項３に記載の電子機器。
【請求項５】
前記嵌合部分は、前記第２部分において前記凹部の底面と前記凸部の頂面との間に間隙を残した状態で嵌合している、請求項４に記載の電子機器。
【請求項６】
前記間隙に連通しつつ前記第２部分から延在するように、前記カバーと前記筐体との間に第１空間が設けられている、請求項５に記載の電子機器。
【請求項７】
前記第１空間は、前記貫通孔の、前記第１部分から遠い側に配置されている、請求項６に記載の電子機器。
【発明の詳細な説明】
【技術分野】
【０００１】
本開示は、電子機器に関するものである。
【背景技術】
【０００２】
防水性能を有する電子機器が知られている。このような電子機器は、内圧が急激に変化することを緩和するために、気圧調整シートを備える場合がある。このような電子機器の一例が特開２０１３−５８９１８号公報（特許文献１）に記載されている。
【先行技術文献】
【特許文献】
【０００３】
【特許文献１】特開２０１３−５８９１８号公報
【発明の概要】
【発明が解決しようとする課題】
【０００４】
防水性能を有する電子機器を洗剤で洗浄する場合がある。気圧調整シートを備える電子機器を洗剤で洗浄すると、洗剤成分が気圧調整シートに到達する可能性がある。電子機器の構造によっては、気圧調整シートに到達した洗剤成分がその後で十分に洗い流されずに残って付着したままとなる可能性がある。気圧調整シートに洗剤成分が繰返し付着すると、気圧調整シートの撥水コーティングが洗剤成分によって覆われ、防水性能が劣化する可能性がある。
【０００５】
そこで、本開示は、気圧調整シートへの洗剤成分の付着による防水性能劣化をなるべく遅らせることができる電子機器を提供することを目的とする。
【課題を解決するための手段】
【０００６】
上記目的を達成するため、本開示に基づく電子機器は、貫通孔を有する筐体と、水を遮断することができ、空気を通過させることができ、上記貫通孔を覆うように配置されたシートと、上記貫通孔を覆い隠しつつ上記筐体の外表面を部分的に覆い、上記筐体に対して取り付けられたカバーとを備える。上記筐体は、上記カバーを上記筐体に取り付けた状態においても上記カバーに覆われない第１部分を含む。上記カバーおよび上記筐体は、上記第１部分と上記貫通孔との間の少なくとも一部を遮るように少なくとも１つの凹部と少なくとも１つの凸部とが互いに嵌合する嵌合部分を含む。
【発明の効果】
【０００７】
本開示によれば、電子機器において、気圧調整シートへの洗剤成分の付着による防水性能劣化をなるべく遅らせることができる。
【図面の簡単な説明】
【０００８】
【図１】本開示に基づく実施の形態１における電子機器の斜視図である。
【図２】本開示に基づく実施の形態１における電子機器の平面図である。
【図３】図２におけるＩＩＩ−ＩＩＩ線に関する矢視断面図である。
【図４】図３におけるＺ１部の拡大図である。
【図５】本開示に基づく実施の形態１における電子機器に備わる筐体の部分拡大断面図である。
【図６】本開示に基づく実施の形態１における電子機器に備わるカバーの部分拡大断面図である。
【図７】本開示に基づく実施の形態１における電子機器からカバーを取り去った状態の斜視図である。
【図８】図７におけるＺ２部の拡大図である。
【図９】本開示に基づく実施の形態１における電子機器からカバーを取り去った状態の貫通孔の近傍の部分拡大平面図である。
【図１０】本開示に基づく実施の形態１における電子機器のシートへの仮想的な洗剤の侵入経路を示す説明図である。
【図１１】本開示に基づく実施の形態１における電子機器の嵌合部分などによって形成される空間を平面図中にハッチングで示す説明図である。
【図１２】本開示に基づく実施の形態１における電子機器の嵌合部分などによって形成される空間を断面図中にハッチングで示す説明図である。
【図１３】本開示に基づく実施の形態１における電子機器での洗剤が進んでいく経路の説明図である。
【図１４】第１部分、嵌合部分、および貫通孔の平面的に見たときの位置関係の第１の例の説明図である。
【図１５】第１部分、嵌合部分、および貫通孔の平面的に見たときの位置関係の第２の例の説明図である。
【図１６】第１部分、嵌合部分、および貫通孔の平面的に見たときの位置関係の第３の例の説明図である。
【図１７】第１部分、嵌合部分、および貫通孔の平面的に見たときの位置関係の第４の例の説明図である。
【図１８】第１部分、嵌合部分、および貫通孔の平面的に見たときの位置関係の第５の例の説明図である。
【発明を実施するための形態】
【０００９】
図面において示す寸法比は、必ずしも忠実に現実のとおりを表しているとは限らず、説明の便宜のために寸法比を誇張して示している場合がある。以下の説明において、上または下の概念に言及する際には、絶対的な上または下を意味するとは限らず、図示された姿勢の中での相対的な上または下を意味する場合がある。
【００１０】
（実施の形態１）
（構成）
図１〜図９を参照して、本開示に基づく実施の形態１における電子機器について説明する。図１に、本実施の形態における電子機器１０１の斜視図を示す。電子機器１０１は、筐体１と、カバー２とを備える。電子機器１０１は、ディスプレイが配置されたフロント側とその反対側としてのリア側という概念を有していてもよい。図１は、主にリア側を見たところである。電子機器１０１のリア側から見た平面図を図２に示す。筐体１は、第１部分３を含む。図１および図２に示した例では、カバー２は、開口部２ｅを有している。第１部分３は、開口部２ｅを通じて外部に露出している。第１部分３は、たとえばカメラを含んでいてもよい。第１部分３は、たとえばセンサを含んでいてもよい。第１部分３は、たとえばライトを含んでいてもよい。ここでは、第１部分３は開口部２ｅを通じて外部に露出しているものとしたが、第１部分３は、開口部２ｅの代わりに何らかの切欠きを通じて外部に露出していてもよい。
【００１１】
図２におけるＩＩＩ−ＩＩＩ線に関する矢視断面図を図３に示す。図３におけるＺ１部を拡大したところを図４に示す。
【００１２】
本実施の形態で示した例では、カバー２は、カバー第１部分２ａとカバー第２部分２ｂとを含む。カバー第１部分２ａと、カバー第２部分２ｂとは、互いに異なる材料で形成されていてもよい。カバー第１部分２ａと、カバー第２部分２ｂとは、たとえば互いに硬さが異なる樹脂でそれぞれ形成されていてもよい。カバー第１部分２ａとカバー第２部分２ｂとは、二色成形されることによって一体化されていてよい。第１部分３は、カバー２に覆われずに露出している。本実施の形態で示した例では、図３に示すように、筐体１は、フロント筐体３１とリア筐体３２とを含む。これは「筐体」のあくまで一例であり、筐体は単一の部品によって構成されていてもよく、３以上の部品によって構成されていてもよい。
【００１３】
本実施の形態における電子機器１０１は、貫通孔５を有する筐体１と、貫通孔５を覆うように配置されたシート４と、貫通孔５を覆い隠しつつ筐体１の外表面１ａを部分的に覆い、筐体１に対して取り付けられたカバー２とを備える。カバー２は筐体１に対して着脱自在に取り付けられていてもよい。筐体１は、カバー２を筐体１に取り付けた状態においてもカバー２に覆われない第１部分３を含む。カバー２および筐体１は、第１部分３と貫通孔５との間の少なくとも一部を遮るように、少なくとも１つの凹部と、この凹部との間で嵌合可能な少なくとも１つの凸部とを、それぞれいずれかに含む。
【００１４】
ここで示す例では、カバー２および筐体１は、少なくとも１つの凹部と少なくとも１つの凸部とが互いに嵌合する嵌合部分１０（図４参照）を含む。嵌合部分１０は、図４における上方から見たときに、第１部分３と貫通孔５との間の少なくとも一部を遮っている。図４では、筐体１の上面に設けられた溝１６が図中右側に延在していることが示されている。
【００１５】
図４では、筐体１とカバー２とが組み合わさっていたが、筐体１のみを取り出したところを図５に示す。図５では、筐体１の全体のうち図４に示したのとほぼ同じ範囲のみを示している。同じくカバー２のみを取り出したところを図６に示す。図６では、カバー２の全体のうち図４に示したのとほぼ同じ範囲のみを示している。図５に示すように、筐体１は凹部７１および凸部７３を有する。図６に示すように、カバー２は凸部７２および凹部７４を有する。図４に一例として示す嵌合部分１０は、第１部分３と貫通孔５との間の少なくとも一部を遮るように凹部７１と凸部７２とが互いに嵌合している部分を指す。嵌合部分１０の断面形状は、図４に示したものに限らず、他の形状であってもよい。本実施の形態では、凹部７１と凸部７２とが互いに嵌合していることに加えて、その外側において、凸部７３と凹部７４とが互いに嵌合している。凹部７１と凸部７２と凸部７３と凹部７４とを合わせたものを嵌合部分１０とみなしてもよい。
【００１６】
電子機器１０１からカバー２を取り去った状態の斜視図を図７に示す。図７におけるＺ２部を拡大したところを図８に示す。図７における貫通孔５の近傍を示す平面図を図９に示す。貫通孔５の内部には、補強梁６が配置されている。補強梁６が貫通孔５の中央を横切ることによって、貫通孔５は、部分５ａと部分５ｂとに分けられている。貫通孔５の全体は、略円形である。部分５ａおよび部分５ｂは略半円形である。貫通孔５は「気圧調整孔」とも呼ばれる。筐体１の外表面１ａには、貫通孔５の周囲を取り囲むように設けられた凹部７１と連通するように溝１６が設けられている。この例では、溝１６は直線状に延在している。凸部７３は溝１６が横切る部分で欠落している。したがって、凸部７３はＣ字形状となっている。
【００１７】
シート４は、水を遮断することができ、空気を通過させることができる性質のシートである。このようなシート４は、公知技術によって適宜実現可能である。シート４としては、「通気性シート」、「防水通気シート」などの名称で市販されているものを採用することができる。特に、電子機器１０１の貫通孔５を覆うように配置されたシート４は、筐体１内部の圧力の調整を目的としている場合には「圧力調整シート」または「気圧調整シート」とも呼ばれる。
【００１８】
（作用・効果）
本実施の形態では、第１部分３と貫通孔５との間の少なくとも一部を遮るように少なくとも１つの凹部と少なくとも１つの凸部とが互いに嵌合する嵌合部分１０を含んでいるので、洗剤が電子機器１０１の外部からシート４にまで到達するためには、図１０に矢印９１で示すような経路をたどる必要がある。この経路は、断面図で見たときにジグザグ形状となっている。本実施の形態では、洗剤の侵入経路がこのように入り組んでいることにより、電子機器１０１を洗剤で洗浄する場合に洗剤がシート４に到達する確率を低くすることができる。したがって、本実施の形態によれば、電子機器１０１において、気圧調整シートへの洗剤成分の付着による防水性能劣化をなるべく遅らせることができる。
【００１９】
本実施の形態では、補強梁６は貫通孔５の中心を通るように直線状に延在するものとして示したが、補強梁６はこれ以外の形状であってもよい。補強梁６はなくてもよい。貫通孔５の内部に補強梁６を設けておくことにより、シート４の破損が起こりにくくなる。
【００２０】
本実施の形態では、凹部７１および凸部７２はいずれも線状である。本実施の形態で示したように、嵌合部分１０を構成する要素のうちの１つである「少なくとも１つの凹部」は線状であってもよい。この「少なくとも１つの凹部」と嵌合する関係にある「少なくとも１つの凸部」も線状であってよい。
【００２１】
本実施の形態では、凹部７１は線状である例を示したが、線状とは限らず任意の形状であってもよい。たとえば凹部７１が長方形であっても第１部分３と貫通孔５との間の少なくとも一部を遮るように配置することは可能である。凹部７１が線状である場合においても、直線とは限らず曲線状であってもよく、円弧状であってもよい。凸部７２についても同様である。何らかの形状の凹部とこれに対応した形状の凸部があることにより、嵌合部分が構成される。
【００２２】
本実施の形態では、筐体１に凹部が設けられ、カバー２に凸部が設けられている例を示したが、凹部と凸部との配置は逆であってもよい。
【００２３】
本実施の形態で示したように、凹部７１と凸部７２とが嵌合部分１０を形成し、嵌合部分１０は、第１部分３と貫通孔５との間を隔てていてもよい。嵌合部分１０が第１部分３と貫通孔５との間を隔てていれば、洗剤が第１部分３の外周近傍からカバー２の裏側に侵入したとしても貫通孔５に到達する前に嵌合部分１０によって洗剤の進行を食い止めることができる可能性が高まる。
【００２４】
本実施の形態では、嵌合部分１０は１つの線状の凹部７１と１つの線状の凸部７２とが嵌合する構造となっているが、これに限らず、２以上の線状の凹部と２以上の線状の凸部とが嵌合する構造としてもよい。１本の線状の凹部と１本の線状の凸部とが嵌合することによって構成される嵌合部分は、洗剤の侵入に対する１重の防御壁に相当し、２本の線状の凹部と２本の線状の凸部とが嵌合する嵌合部分は２重の防御壁に相当する。嵌合に寄与する凹部および凸部の数が増えるほど洗剤の侵入経路がより入り組んだ形となり、洗剤がシート４に到達する確率をより低くすることができる。
【００２５】
本実施の形態で示したように、嵌合部分１０は、貫通孔５を取り囲む環形状の少なくとも一部として設けられている第２部分を含んでもよい。図８には、嵌合部分１０を構成する要素の１つである凹部７１が見えているので、この凹部７１の形状から嵌合部分１０の形状を把握することができる。この例では、嵌合部分１０は、貫通孔５を取り囲む環形状として設けられている。この例では、嵌合部分１０のうち貫通孔５を取り囲む環形状の部分が第２部分に相当する。
【００２６】
嵌合部分１０は、第２部分において凹部７１の底面と凸部７２の頂面との間に間隙を残した状態で嵌合していてもよい。嵌合部分１０が環形状である場合には、この間隙は環状空間を形成する。図１１においては、嵌合部分１０によって形成される環状空間１５に、細かいピッチのハッチングを付して示している。図１１に示した例では、環状空間１５だけでなく、環状空間１５と連通し、さらにその外側に延在する第１空間１７もある。図１１では第１空間１７にも細かいピッチのハッチングを付して示している。図１１における貫通孔５の近傍の拡大断面図を図１２に示す。図１２においても環状空間１５および第１空間１７に、細かいピッチのハッチングを付して示している。
【００２７】
図１１および図１２に示すように、前記間隙に連通しつつ前記第２部分から前記環形状の外側に延在するように、カバー２と筐体１との間に第１空間１７が設けられていてもよい。第１空間１７は任意の形状であってよい。間隙によって形成される環状空間１５は、洗剤が貫通孔５周辺に侵入してきた場合の洗剤の迂回路とみなしてよい。第１空間１７は、貫通孔５周辺に侵入し、迂回させられた洗剤を逃がすための空間とみなしてよい。カバー２の裏側に入り込んだ洗剤が進んでいく経路を図１３に示す。第１部分３とカバー２との境目からカバー２の裏側に入り込んだ洗剤は、矢印９５，９６に示すように貫通孔５の周辺に到達するが、環状空間１５に誘導されて矢印９５，９６の少なくとも一方の経路を経由して第１空間１７へと逃がされる。溝１６の内部空間は第１空間１７の少なくとも一部となる。第１空間１７は、洗剤をさらに他の空間に向けて逃がすための通路としての空間であってもよい。第１空間１７は、洗剤を受け入れて貯留するための空間であってもよい。
【００２８】
図１１に示したように、第１空間１７は、貫通孔５の、第１部分３から遠い側に配置されていてよい。カバー２の裏側への洗剤の侵入は、第１部分３の周囲から開始する可能性が高いので、第１空間１７を貫通孔５の第１部分３から遠い側に配置しておけば、洗剤が環状空間１５に入らずに直接的に第１空間１７に入ってしまうことをなるべく避けることができる。
【００２９】
（第１部分と嵌合部分と貫通孔との位置関係）
以下では、平面的に見たときの、第１部分３と、嵌合部分１０と、貫通孔５との位置関係のいくつかの変形例について説明する。
【００３０】
第１の例を図１４に示す。ここで示すように、嵌合部分１０が貫通孔５を取り囲んで完全な環形状に設けられている構成であってもよい。ここでは円形の環形状となっているが、円形以外の環形状であってもよい。嵌合部分１０は、貫通孔５を取り囲む完全な環形状とは限らず、環形状の一部をなす形状であってもよい。嵌合部分１０は、たとえばＣ字形状であってもよい。嵌合部分１０は、たとえば円弧形状であってもよい。
【００３１】
第２の例を図１５に示す。ここで示すように、嵌合部分１０が直線状であってもよい。直線状の嵌合部分１０が第１部分３と貫通孔５とを隔てるように配置されている。嵌合部分１０は直線状とは限らず、曲線状であってもよく、折れ線状であってもよい。
【００３２】
第３の例を図１６に示す。この例では、嵌合部分１０がＵ字形状であってＵ字形状の２つの頂点を結ぶように第１空間１７が配置されている。このように嵌合部分１０が何らか非ループ状の線状であって第１空間１７が嵌合部分１０の両端を結ぶように配置されていてもよい。嵌合部分１０には、凹部の底面と凸部の頂面とによって形成される間隙があってもよい。このような間隙がある場合には、この間隙は第１空間１７に連通してよい。
【００３３】
第４の例を図１７に示す。このように、第１空間１７が複数に分かれていてもよい。図１７に示す例では、第１空間１７が部分１７ａと部分１７ｂとの２つに分かれている。第１空間１７は、３つ以上に分かれていてもよい。図１７に示す例では部分１７ａと部分１７ｂとは同じ大きさとなっているが、第１空間１７が複数の部分に分かれていて部分ごとの大きさが異なっていてもよい。
【００３４】
第５の例を図１８に示す。このように、嵌合部分１０は、曲線部分と直線部分とを含んでいてもよい。このように、嵌合部分１０の一方の端にのみ第１空間１７が配置されていてもよい。このように、嵌合部分１０と第１空間１７との組合せは、平面的に見て非対称な形状であってもよい。
【００３５】
ここでは代表的な例として、第１から第５の例を示したが、当然これらに限られるものではない。電子機器の内部において他の部品などの配置の都合により使用できるスペースが限られる場合には、第１部分３と嵌合部分１０と貫通孔５との位置関係は適宜設計されうる。嵌合部分１０が非対称な形状で配置されることも当然ありうる。
【００３６】
なお、上記各実施の形態では、貫通孔５の外形が円形となっているが、これはあくまで一例であって、貫通孔５の平面的に見たときの外形は円形とは限らない。
【００３７】
上記各実施の形態では、第１部分３が長円形の凸部となっているが、第１部分３は平面的に見て長円形以外の形状であってもよい。第１部分３は、凸部とは限らない。第１部分３は他の部分に比べて全く突出していない部分であってもよい。
【００３８】
上記各実施の形態では、カバー２がカバー第１部分２ａとカバー第２部分２ｂとを含んでいるものとして説明したが、カバー２は、このような複数の部分に分かれていない構造であってもよい。
【００３９】
なお、上記実施の形態のうち複数を適宜組み合わせて採用してもよい。
なお、ここまで「電子機器」という用語を用いて説明したが、電子機器は、たとえば携帯電話、携帯情報端末、タブレット端末、パーソナルコンピュータ、ゲーム機、テレビ受像機、携帯音楽プレーヤー、ＣＤプレーヤー、ＤＶＤプレーヤー、電卓、電子手帳、電子辞書、電子書籍リーダー、デジタルカメラ、ビデオカメラ、ラジオ受信機、ナビゲーションシステム、測定機などを含む広い概念である。携帯電話または携帯情報端末の概念にはスマートフォンが含まれる。
【００４０】
なお、今回開示した上記実施の形態はすべての点で例示であって制限的なものではない。本発明の範囲は上記した説明ではなくて特許請求の範囲によって示され、特許請求の範囲と均等の意味および範囲内でのすべての変更を含むものである。
【符号の説明】
【００４１】
１  筐体、１ａ  外表面、２  カバー、２ａ  カバー第１部分、２ｂ  カバー第２部分、２ｅ  （カバーの）開口部、３  （カバーに覆われない）第１部分、４  （気圧調整のための）シート、５  貫通孔、５ａ，５ｂ  （貫通孔の）部分、６  補強梁、１０  嵌合部分、１５  環状空間、１６  溝、１７  第１空間、１７ａ，１７ｂ  （第１空間の）部分、３１  フロント筐体、３２  リア筐体、７１，７４  凹部、７２，７３  凸部、９１  （洗剤の侵入経路を示す）矢印、９５，９６  矢印、１０１  電子機器。
【図１】
2017175043.tif 000003
【図２】
2017175043.tif 000004
【図３】
2017175043.tif 000005
【図４】
2017175043.tif 000006
【図５】
2017175043.tif 000007
【図６】
2017175043.tif 000008
【図７】
2017175043.tif 000009
【図８】
2017175043.tif 000010
【図９】
2017175043.tif 000011
【図１０】
2017175043.tif 000012
【図１１】
2017175043.tif 000013
【図１２】
2017175043.tif 000014
【図１３】
2017175043.tif 000015
【図１４】
2017175043.tif 000016
【図１５】
2017175043.tif 000017
【図１６】
2017175043.tif 000018
【図１７】
2017175043.tif 000019
【図１８】
2017175043.tif 000020